(57)【要約】      （修正有）【課題】衣服や身の回り品等で着脱の必要なものを、片手で大きな力を用いずに着脱可能とする汎用の係着帯を提供する。【解決手段】本発明の係着帯１は、長手方向に伸縮性を有する表地、及び裏地の間に、長手方向に間欠的に設けられる複数の磁石３を備えている。係着帯１は、表地に係着される副帯を備えることが好ましい。副帯は、少なくとも長手方向に伸縮性を有する副帯本体と、副帯本体の裏面の長手方向に並ぶよう配設される嵌合突起と、副帯本体の表面に面ファスナーが設けられている。副帯は、嵌合突起を嵌合受孔１ａ，１ｂに嵌合させて、表地に係着される。【選択図】図１
2019183339.tif 000002
【特許請求の範囲】
【請求項１】
帯状をなす表地、及び裏地と、
前記表地と前記裏地の間に、前記表地の長手方向に間欠的に設けられる複数の磁石とを備え、
前記磁石の磁力により係着対象物を係着する係着帯。
【請求項２】
請求項１に記載の係着帯と、
前記係着帯に係着される副帯と
を備え、
前記副帯は、帯状の副帯本体と、前記副帯本体の裏面の長手方向に並ぶよう配設される嵌合突起、又は嵌合孔からなる複数の嵌合手段と、前記副帯本体の表面に設けられる面ファスナー、又は粘着層からなる係着手段とを有し、
前記係着帯は、その長手方向に並ぶとともに前記嵌合突起に嵌合する嵌合受孔、又は前記嵌合孔に嵌合する嵌合受突起からなる複数の嵌合受手段を有し、
前記副帯が前記係着帯に着脱自在に構成されている副帯付係着帯。
【請求項３】
前記係着帯は、両端を着脱自在に連結するバックルを有し、
前記バックルは、雄バックルと雌バックルからなるとともに、表面側に、前記嵌合突起に嵌合する嵌合受孔、又は前記嵌合孔に嵌合する嵌合受突起からなる嵌合受手段を有し、
前記副帯が前記バックルに着脱自在に構成されている請求項２に記載の副帯付係着帯。
【請求項４】
前記係着手段が粘着層であり、前記粘着層が再剥離性を有する請求項２に記載の副帯付係着帯。
【請求項５】
請求項１に記載の係着帯と、着用者の少なくとも胴体下部を覆う下半身用衣服とを備えた自立支援用衣服であって、
前記下半身用衣服は、両側縁に沿って設けられる側部係着手段により少なくとも両側方で分離可能に構成される前身頃、及び後身頃を備え、
前記前身頃は、上端縁に沿って設けられる前側ウエスト部を有し、
前記後身頃は、上端縁に沿って設けられる後側ウエスト部を有し、
前記前側ウエスト部と前記後側ウエスト部は、それぞれ磁石、又は磁性金属からなる磁着手段が設けられて前記係着帯に係着可能に構成されるとともに、前記前身頃、及び前記後身頃の両側方とともに互いに分離可能に構成されていることを特徴とする自立支援用衣服。
【請求項６】
請求項２から請求項４のいずれか１項に記載の副帯付係着帯と、
着用者の少なくとも胴体下部を覆う下半身用衣服と
を備え、
前記下半身用衣服が、両側縁に沿って設けられる側部係着手段により少なくとも両側方で互いに分離可能に構成される前身頃、及び後身頃を備え、
前記前身頃は、上端縁に沿って設けられる前側ウエスト部を有し、
前記後身頃は、上端縁に沿って設けられる後側ウエスト部を有し、
前記前側ウエスト部と前記後側ウエスト部は、前記磁石に磁着する磁着手段、又は前記係着手段に係着する係着受け手段がそれぞれ設けられて前記副帯付係着帯に係着可能に構成されるとともに、前記前身頃、及び前記後身頃の両側方とともに互いに分離可能に構成されていることを特徴とする自立支援用衣服。
【請求項７】
前記下半身用衣服が、筒状をなすスカートであり、前記前側ウエスト部と前記後側ウエスト部を前記前身頃、及び前記後身頃の両側方とともに分離すると、前記前身頃と前記後身頃が別体に分離される請求項５、又は請求項６に記載の自立支援用衣服。
【請求項８】
前記下半身用衣服が、着用者の胴体下部を覆うパンツであり、前記前側ウエスト部と前記後側ウエスト部を前記前身頃、及び前記後身頃の両側方とともに分離すると、前記前身頃と前記後身頃が股間部でのみつながった状態に展開される請求項５、又は請求項６に記載の自立支援用衣服。
【請求項９】
前記下半身用衣服が、着用者の胴体下部と両脚を覆うズボンであり、前記前身頃は、着用者の腹部を覆う胴部前身頃、及び胴部前身頃の下端に連続する左右一対の脚前身頃を有し、前記後身頃は、着用者の腰部を覆う胴部後身頃と、前記胴部後身頃の下端に連続する左右一対の脚後身頃とを有し、前記前側ウエスト部と前記後側ウエスト部を前記前身頃、及び前記後身頃の両側方とともに分離すると、前記前身頃と前記後身頃が少なくとも股間部でつながった状態に展開される請求項５、又は請求項６に記載の自立支援用衣服。
【発明の詳細な説明】
【技術分野】
【０００１】
この発明は、身の回り品等において係着に必要な個所を脱着自在に係着するための帯状物に関し、特に、高齢者や体の不自由な人が容易に係着できるよう考慮した係着帯に関する。
【背景技術】
【０００２】
従来、高齢者が寝たきりになることの防止や、認知症の予防、高齢者の自尊心の維持等を目的として、高齢者が、残された能力の範囲内で着替えや用便等の身の回りのことを自ら行うことの重要さが指摘されている。
そして、本発明者は、先に、背中に手の回らない人を想定して、取換シート付スカートに係る先の出願（特許文献１参照）をしており、巻きスカートを腰回りに係止する面ファスナー付のベルトを開示している。
【０００３】
この特許文献１の腰ベルトは、面ファスナーから周方向の一部だけを脱着することで、前後の片側だけをはだけることができるという利点や、背中に手の回らない人であっても腰ベルトさえ着用していれば、スカートの後身頃を体の前側で腰ベルトに係着したのち腰ベルトを回転させて体の後側に移動させ、体の前側でスカートの前身頃部分を腰ベルトに係着することで、背中に手を回すことなく、巻きスカートを着用することができるという利点を有するものである。
【０００４】
そして、本発明者は、衣服に限らず、カーテン等の身の回り品においてもフックやボタンの代わりにこのような面ファスナー付のベルトを用いることで、片手で着脱ができるようなものが多数存在することに想到し、衣服以外に、特許文献１の面ファスナー付のベルトを用いることに想到する。
【先行技術文献】
【特許文献】
【０００５】
【特許文献１】特開２０１７−２５４３６号公報
【発明の概要】
【発明が解決しようとする課題】
【０００６】
しかし、面ファスナーは、接着することは片手でも容易にできるものの、取外しには大きな力が必要で、指先に力が入らない人は自力で外すことができないという問題がある。
また面ファスナーは、強く押し付けないと接着しないため、例えば、カーテンのように揺れるものの表面に面ファスナーが設けられている場合、片手しか使えない人は、面ファスナーを固定した状態で押し付けることができず、面ファスナーをうまく係着できないという問題がある。
【０００７】
本発明は上記課題に鑑みてなされたものであり、衣服や、身の回り品等で、着脱の必要なものを、片手で大きな力を用いずに着脱可能とする係着帯の提供を目的とする。
【課題を解決するための手段】
【０００８】
上記課題を解決するためになされた発明は、帯状をなす表地、及び裏地と、前記表地と前記裏地の間に、前記表地の長手方向に間欠的に設けられる複数の磁石とを備え、前記磁石の磁力により係着対象物を係着する係着帯である。
【０００９】
本発明の係着帯は、このように、磁石を用いたものであるため、係着した２つの物を片手で容易に分離することができる。
【００１０】
本発明は、上記の係着帯と、前記係着帯に係着される副帯とを備え、前記副帯は、帯状の副帯本体と、前記副帯本体の裏面の長手方向に並ぶよう配設される嵌合突起、又は嵌合孔からなる複数の嵌合手段と、前記副帯本体の表面に設けられる面ファスナー、又は粘着層からなる係着手段とを有し、前記係着帯は、その長手方向に並ぶとともに前記嵌合突起に嵌合する嵌合孔、又は前記嵌合孔に嵌合する嵌合突起からなる複数の嵌合受手段を有し、前記副帯が前記係着帯に着脱自在に構成されている副帯付係着帯を含む。
本発明の副帯付係着帯は、面ファスナー、又は粘着層からなる係着手段を備えた副帯を備えるので、係着帯に対し磁性により係着できない物であっても、副帯を介して、係着帯に係着することができ、さらに、副帯の係着手段により係着したものの上から、磁石や金属等を備えるものを係着することができる。
【００１１】
本発明に係る副帯付係着帯は、前記係着帯が、両端を着脱自在に連結するバックルを有し、前記バックルは、雄バックルと雌バックルからなるとともに、表面側に、前記嵌合突起に嵌合する嵌合孔、又は前記嵌合孔に嵌合する嵌合突起からなる嵌合受手段を有し、前記副帯が前記バックルに着脱自在に構成されているものを含む。
このように、雄バックルと雌バックルの表面側に嵌合受手段を設けることで、バックルの部分にも、副帯を係着できる。
【００１２】
前記係着手段が粘着層であり、前記粘着層が再剥離性を有することが好ましい。こうすることで、粘着層で接着する物を繰り返し着脱できる。
【００１３】
本発明は、上記の係着帯と、着用者の少なくとも胴体下部を覆う下半身用衣服とを備えた自立支援用衣服であって、前記下半身用衣服は、両側縁に沿って設けられる側部係着手段により少なくとも両側方で分離可能に構成される前身頃、及び後身頃を備え、前記前身頃は、上端縁に沿って設けられる前側ウエスト部を有し、前記後身頃は、上端縁に沿って設けられる後側ウエスト部を有し、前記前側ウエスト部と前記後側ウエスト部は、それぞれ磁石、又は磁性金属からなる磁着手段が設けられて前記係着帯に係着可能に構成されるとともに、前記前身頃、及び前記後身頃の両側方とともに互いに分離可能に構成されていることを特徴とする自立支援用衣服を含む。
このように、本発明の自立支援用衣服は、下半身用衣服が、前身頃と後身頃とを、前側ウエスト部、後側ウエスト部とともに、その両側縁に沿って分離できるので、後側ウエスト部を、腰に着用した係着帯に着用者の腹側で係着して、係着帯を腰回りに半回転させることで後身頃を背中側に回すことができ、このあと着用者の腹側で前身頃の前側ウエスト部を係着帯に係着することで、背後に手を回すことなく着用することができる。
【００１４】
本発明は、上記いずれかの副帯付係着帯と、着用者の少なくとも胴体下部を覆う下半身用衣服とを備え、前記下半身用衣服が、両側縁に沿って設けられる側部係着手段により少なくとも両側方で分離可能に構成される前身頃、及び後身頃を備え、前記前身頃は、上端縁に沿って設けられる前側ウエスト部を有し、前記後身頃は、上端縁に沿って設けられる後側ウエスト部を有し、前記前側ウエスト部と前記後側ウエスト部は、前記磁石に磁着する磁着手段、又は前記係着手段に係着する係着受け手段がそれぞれ設けられて前記副帯付係着帯に係着可能に構成されるとともに、前記前身頃、及び前記後身頃の両側方とともに互いに分離可能に構成されていることを特徴とする自立支援用衣服を含む。
【００１５】
本発明は、前記下半身用衣服が、スカートであり、前記前側ウエスト部と前記後側ウエスト部を前記前身頃、及び前記後身頃の両側方とともに分離すると、前記前身頃と前記後身頃が別体に分離される自立支援用衣服を含む。
このように、下半身用衣服をスカートにして、前身頃と後身頃を完全に連結部分を有さない別体に分離可能に構成することで、例えば、背中に手の回らない人が、洗浄便座を利用する際に、前身頃を係着ベルトから外し、係着ベルトを半回転させて後身頃を腹側に回すことで、下半身用衣服を濡らすことなく、洗浄便座を利用できる。
【００１６】
本発明は、前記下半身用衣服が、着用者の胴体下部を覆うパンツであり、前記前側ウエスト部と前記後側ウエスト部を前記前身頃、及び前記後身頃の両側方とともに分離すると、前記前身頃と前記後身頃が股間部でのみつながった状態に展開される自立支援用衣服を含む。
【００１７】
本発明は、前記下半身用衣服が、着用者の胴体下部と両脚を覆うズボンであり、前記前身頃は、着用者の腹部を覆う胴部前身頃、及び胴部前身頃の下端に連続する左右一対の脚前身頃を有し、前記後身頃は、着用者の腰部を覆う胴部後身頃と、前記胴部後身頃の下端に連続する左右一対の脚後身頃とを有し、前記前側ウエスト部と前記後側ウエスト部を前記前身頃、及び前記後身頃の両側方とともに分離すると、前記前身頃と前記後身頃が少なくとも股間部でつながった状態に展開される自立支援用衣服を含む。
【発明の効果】
【００１８】
以上説明したように、本発明の係着帯によれば、指に力の入らない人や、片手が使えない人であっても、容易に係着対象物に対し、着脱ができる。
【図面の簡単な説明】
【００１９】
【図１】本発明の第１実施形態に係る係着帯の両端を連結して輪状にした状態の斜視図である。
【図２】図１の係着帯の（ａ）部分正面図、（ｂ）（ａ）におけるＡ−Ａ線断面図、（ｃ）（ｂ）の部分拡大図である。
【図３】本発明の第３実施形態に係る副帯の（ａ）部分背面図、（ｂ）（ａ）におけるＢ−Ｂ線断面図である。
【図４】本発明の第４実施形態に係る副帯の（ａ）部分背面図、（ｂ）（ａ）におけるＣ−Ｃ線断面図である。
【図５】図１の係着帯に、図３の副帯を取り付けた様子を示す（ａ）正面図、（ｂ）（ａ）におけるＤ−Ｄ線断面図である。
【図６】図１の係着帯に、図４の副帯を取り付けた様子を示す（ａ）正面図、（ｂ）（ａ）におけるＥ−Ｅ線断面図である。
【図７】本発明の第１実施形態に係るパンツの開いた状態における内面を示す正面図である。
【図８】本発明の第２実施形態に係るスカートの斜視図である。
【図９】本発明の第３実施形態に係るズボンの斜視図である。
【図１０】本発明の第１実施形態にかかる自立支援用衣服を着用する手順を示す説明図である。
【図１１】本発明の第２実施形態にかかる自立支援用衣服を着用する手順を示す説明図である。
【図１２】本発明の第３実施形態にかかる自立支援用衣服を着用する手順を示す説明図である。
【図１３】本発明の第４実施形態に係る自立支援用衣服の断面図である。
【図１４】本発明に係る係着帯のその他の実施形態を示す断面図である。
【図１５】本発明に係る係着帯のその他の実施形態を示す断面図である。
【図１６】本発明に係る係着帯のその他の実施形態を示す断面図である。
【発明を実施するための形態】
【００２０】
以下、図面を参照しながら本発明の実施形態について詳述する。ただし、本発明は、以下の実施形態に限定されるものではない。
（第１実施形態）
図１０は、本発明の第１実施形態に係る自立支援用衣服１０００を示している。自立支援用衣服１０００は、係着ベルト１０と、パンツ（下半身用衣服、係着対象物）２００Ａとを備えている。
【００２１】
係着ベルト１０は、図１に示すように、着用者Ｍの腰に巻回されるべく帯状をなす係着帯１と、係着帯１の長手方向の両端を連結するバックル２とを備えている。
【００２２】
係着帯１は、図２（ｂ）に示すように、表地１１に裏地１２を重ねて形成され、幅方向（図２（ｂ）の上下方向）の中央に、表地１１と裏地１２の間に設けた間隙からなる磁石収納室１３を備え、係着帯１は、幅方向の両端に表地１１と裏地１２を貼りあわせて形成した縁部１４，１４を備えている。表地１１、及び裏地１２は、長手方向に伸縮性を有することが好ましい。磁石収納室１３、及び縁部１４，１４には、表地１１、及び裏地１２を貫通するよう設けられる多数の円形の嵌合受孔１ａ，１ｂが、それぞれ長手方向へ等間隔に並べられている。尚、符号１ｄは、磁石収納室を区切る縫合線を示している。
【００２３】
磁石収納室１３には、図２（ａ），（ｂ）に示すように、複数の磁石３が係着帯１の長手方向に等間隔に並ぶよう収納されている。磁石３は、磁性粉末を軟質樹脂に混入させて成形したのち着磁した樹脂製磁石からなり、正方形の板状をなして中央に円形の嵌合受孔３ａが設けられている。磁石３は、等方性、異方性を問わないが、等方性が好ましい。また、磁石３は、向きを問わずに収納できる点で、正方形が好ましいが、これに限らず、長方形、円形、その他適宜の形状にすることができる。磁石３として、多数の粒状磁石を磁石収納室における表地１１、又は裏地１２の内面に、分散配置して接着剤等で接着してもよい。嵌合受孔３ａは、表地１１の嵌合受孔１ａに一致するように配設される。
【００２４】
バックル２は、硬質樹脂からなり、図１に示すように、雌バックル２１、及び雄バックル２２には幅方向の中央にバックル２の厚み方向に貫通する嵌合受孔２ａ，２ａ，…が設けられている。この嵌合受孔２ａの間隔は、隣り合う２つの嵌合受孔１ｂ，１ｂ（１ａ，１ａ）の間隔に等しくなるよう設けられている。これにより、後述する副帯４Ａをバックル２にも係着させることができる。
また、バックル２は、樹脂に磁性粉末を混入させて成形したり、磁石を内蔵させたりして、磁性を有することが好ましい。こうすることで、パンツ２００Ａのウエスト部をバックル２にも磁着できる。
【００２５】
パンツ２００Ａは、例えば、綿等のメリヤス生地で形成され、図７に示すように、前身頃２１１、後身頃２１２、及び股下部２１３を一体にして略長方形に形成した胴部２０１を備えている。
【００２６】
前身頃２１１、及び後身頃２１２は、それぞれ帯状のウエスト部２１４，２１５を備えている。ウエスト部２１４，２１５は、表裏少なくとも２枚の布地により形成され、２枚の布地の間に軟質の樹脂製磁石（磁着手段）２１６が長手方向（図７の左右方向）に間欠的に設けられている。樹脂製磁石２１６の代わりに、磁性金属の薄板を用いてもよい。
【００２７】
前身頃２１１のウエスト部２１４は、外面（図７の紙面裏側）の長手方向の両端に帯状の面ファスナー（側部係着手段）２１７が縫着されている。また、前身頃２１１の左右の両端の表側には、帯状の面ファスナー（側部係着手段）２１８が縫着されている。
後身頃２１２は、左右の端部に外方へ延出する長方形の側部２０２，２０２を備えている。側部２０２，２０２の上縁裏側には、ウエスト部２１５に連続するように帯状の面ファスナー（側部係着手段）２２２が縫着され、また、左右の端縁の裏側に、前身頃２１１の面ファスナー２１８に係着する面ファスナー（側部係着手段）２２１が縫着されている。側部係着手段は、面ファスナーに限らず、磁石や、粘着剤、その他フックやボタン等、公知の係着手段を適宜に用いることができる。
【００２８】
股下部２１３は、図７に示すように、前身頃２１１と後身頃２１２とを着用者の股間で連結するとともに、左右の端縁が着用者Ｍの脚の付け根をかわすべく内側へ湾入するよう設けられている。
【００２９】
自立支援用衣服１０００を着用する場合には、図１０（ａ）に示すように、まず、係着ベルト１０を腰に巻き付け、バックル２を嵌合して着用する。係着ベルト１０は、着用者Ｍの腰回りに半回転させて、バックル２を背中の後に移動させておく。
【００３０】
この状態で、図１０（ａ）に示すように、パンツ２００Ａの後身頃２１２側のウエスト部２１５を樹脂製磁石２１６の磁力により係着ベルト１０に係着させる。続けて、図１０（ｂ）に示すように、係着ベルト１０を腰周りに半周回転させて、パンツ２００Ａを背後へ移動させる。このとき、バックル２は、腹側に移動する。
【００３１】
しかるのち、図１０（ｃ）に示すように、股の間から、前身頃２１１を体の手前側へ引っ張り出して持ち上げ、そのウエスト部２１４を係着ベルト１０に係着し、左右の側部２０２の面ファスナー２２１，２２２（図７参照）を前身頃２１１の面ファスナー２１７，２１８（図７参照）に係着させて、前身頃２１１と後身頃２１２とを左右の側部２０２，２０２を介して連結する。
【００３２】
このように、係着ベルト１０、及びパンツ２００Ａは、係着ベルト１０を回転させることで、パンツ２００Ａを着用する作業を全て体の前側で行うことができるため、体の後に手の回らない人でも、人の手を借りずに着用することができる。
【００３３】
自立支援用衣服１０００を脱ぐ際には、パンツ２００Ａのウエスト部２１４を引っ張って係着ベルト１０から引き剥がす。ウエスト部２１４は、磁力により係着ベルト１０に係着しているので、面ファスナーで係着されている場合に比べ容易に脱着できる。ウエスト部２１４が係着ベルト１０から剥がれると、この剥がれた部分を掴んで引っ張ることができるので、ウエスト部２１４の両端の面ファスナー２１７，２２２は、指で剥がす場合に比べて容易に剥がすことができる。
【００３４】
（第２実施形態）
図１１は、本発明の第２実施形態に係る自立支援用衣服２０００を示している。自立支援用衣服２０００は、係着ベルト１０と、係着ベルト１０に着脱自在に係着されるパンツ２００Ｂ（下半身用衣服）と、スカート（下半身用衣服、係着対象物）３００Ａ（図８参照）とを備えている。尚、第２実施形態以降の実施形態において第１実施形態と共通する部材は、同一符号を用いて説明を省略する。
【００３５】
パンツ２００Ｂは、第１実施形態におけるパンツ２００Ａと同形状をなす紙おむつであり、ウエスト部２１４，２１５に樹脂製磁石２１６を設ける代わりに、ウエスト部２１４，２１５の内面に再剥離可能な粘着層（係着受け手段）２１６Ｂを設けたもので、粘着層２１６Ｂを介して、ウエスト部２１４，２１５を、直接係着ベルト１０の外面に貼着できるよう構成されている。
再剥離可能な粘着剤としては、特に限定されず、アクリル系、ゴム系、ウレタン系等の他、公知の再剥離性粘着剤を適宜に用いることができる。
【００３６】
スカート３００Ａは、図８に示すように、前身頃３１０と後身頃３２０とを備えている。前身頃３１０、及び後身頃３２０は、上端縁に帯状をなすウエスト部３１２，３２２が設けられており、ウエスト部３１２，３２２は、表地と裏地の間に軟質の樹脂製磁石（磁着手段）３１４が長手方向に間欠的に設けられている。ウエスト部３１２の両端部には、外面側に帯状の面ファスナー（側部係着手段）３１３が縫着され、ウエスト部３２２の左右の両端部には、内面側に帯状の面ファスナー（側部係着手段）３２３を設けた面ファスナー部が周方向外側に突設されている。前身頃３１０の左右の側縁の外面には、帯状の面ファスナー（側部係着手段）３１５，３１５が設けられ後身頃３２０の左右の側縁の内面には、面ファスナー（側部係着手段）３２５，３２５が設けられ、前身頃３１０と後身頃３２０とは、前後に完全に分離可能に構成されている。
【００３７】
自立支援用衣服２０００を着用するときは、図１１（ａ）に示すように、まず、係着ベルト１０を腰に締め、腰回りに半回転させて、バックル２を背後に移動させる。次に、パンツ２００Ｂを、後身頃２１２を上側にして、後側のウエスト部２１５により係着ベルト１０に係着する。ウエスト部２１５は、粘着層２１６Ｂにより係着ベルト１０に係着される。
【００３８】
パンツ２００Ｂを係着ベルト１０に係着したら、図１１（ｂ）に示すように、スカート３００Ａの後身頃３２０を、パンツ２００Ｂの上から、係着ベルト１０に係着させる。スカート３００Ａの後身頃３２０は、内蔵する樹脂製磁石３１４の磁力により、パンツ２００Ｂを間に挟んだ状態で、係着ベルト１０に係着する。
【００３９】
この状態で、図１１（ｃ）に示すように、係着ベルト１０を腰の周りに半周させて、パンツ２００Ｂ、及びスカート３００Ａの後ろ身頃３２０を背中側へと移動させる。このとき、バックル２は、着用者Ｍの腹の側に移動する。そして、図１１（ｄ）に示すように、先にパンツ２００Ｂの前身頃２１１を、股の間から前に引っ張り出し、そのウエスト部２１４を係着ベルト１０に係着し、左右の側部２０２の面ファスナー２２１，２２２（図７参照）を前身頃２１１の面ファスナー２１７，２１８（図７参照）に係着させて、前身頃２１１と後身頃２１２とを左右の側部２０２，２０２を介して連結する。
【００４０】
しかるのち、図１１（ｅ）に示すように、スカート３００Ａの前身頃３１０を、ウエスト部３１２に内蔵された樹脂製磁石３１４の磁力により、パンツ２００Ｂを間に挟んだ状態で、係着ベルト１０に係着し、面ファスナー部３２３，３２３を面ファスナー３１３，３１３に係着し、前身頃３１０の左右の面ファスナー３１５，３１５を後身頃３２０の面ファスナー３２５，３２５に係着して、前身頃３１０と後身頃３２０を連結する。
【００４１】
このように、係着ベルト１０とスカート３００Ａは磁力により係着するので、間にパンツ２００Ｂを挟んだ状態でスカート３００Ａを係着ベルト１０に係着でき、これにより、パンツ２００Ｂとスカート３００Ａの両方を腹側で係着ベルト１０に係着して、係着ベルト１０を半周回転させることで、手を背後に回すことなく、パンツ２００Ｂ、及びスカート３００Ａを背中に回すことができる。
【００４２】
スカート３００Ａを脱ぐ際には、ウエスト部３１２を引っ張って、係着ベルト１０から脱着する。ウエスト部３１２は、磁力により係着ベルト１０に係着されているので、面ファスナーで係着されている場合に比べて、容易に脱着できる。また、これをきっかけとして、面ファスナー３１３と面ファスナー部３２３、及び面ファスナー３２５と面ファスナー３２５を容易に引き剥がすことができる。
【００４３】
また、パンツ２００Ｂを着用し終えた時点で、係着ベルト１０を抜き取り、パンツ２００Ｂの上から巻回して、これにスカート３００Ａを磁着して着用するようにしてもよい。スカート３００Ａを着用した後、さらに係着ベルト１０を抜き取って、スカート３００Ａの上に巻回してもよい。このように、衣服の最も上に係着ベルト１０を巻回した場合は、嵌合受孔１ａ，１ｂや磁石３を利用して、装飾グッズを取り付けることができる。
【００４４】
（第３実施形態）
図１２は、本発明の第３実施形態に係る自立支援用衣服３０００を示している。自立支援用衣服３０００は、副帯付係着帯１００Ａと、パンツ（下半身用衣服）２００Ｃと、ズボン（下半身用衣服、係着対象物）４００とを備えている。
【００４５】
副帯付係着帯１００Ａは、図５に示すように、係着ベルト１０と、副帯４Ａとを有している。
副帯４Ａは、図３に示すように、帯状布からなる副帯本体５Ａと、副帯本体５Ａの内面側に設けられる複数の面ファスナー（係着手段）６ａ，６ａ，…と、副帯本体５Ａと面ファスナー６ａ，６ａの間に挟むように設けられる樹脂製磁石６ｂ，６ｂと、副帯本体５Ａの表面側に設けられる複数の嵌合突起７，７，…とを備えている。副帯本体５Ａは、長手方向に伸縮性を有することが好ましい。副帯本体５Ａは、幅方向の中央に折線５ａを有し、幅方向に、かつ裏面側に、２つ折り可能に構成されている。
【００４６】
上下の面ファスナー６ａは、雌雄が異なり、副帯本体５Ａ内面において、折線５ａについて対称に、当該裏面の上縁及び下縁に沿って等間隔に並べられている。このように、上下の面ファスナー６ａの雌雄が異なることで、副帯４Ａに、雌雄のいずれの面ファスナーを備えたものも係着することができる。また、副帯４Ａは、折線５ａで２つ折りにすることで、上下の面ファスナー６ａを係着させた状態で保管できるため、面ファスナー６ａにゴミが付着することを抑制できる。ただし、上下の面ファスナー６ａとも雄雌の区別の無い、いわゆるフリー面ファスナーを用いてもよい。
また、常時、副帯４Ａを係着帯１に係着させておく場合は、面ファスナー６ａの不使用時、副帯４Ａを折り曲げておくと、面ファスナー６ａによる肌触りの悪さを解消できる。
【００４７】
嵌合突起７，７，…は、副帯本体５Ａの表面の幅方向の中央において長手方向に嵌合受孔１ａ，…と同じ間隔で並べられ、図５に示すように、嵌合受孔１ａ，１ａ…，及びバックル２の嵌合受孔２ａ，２ａに連続して嵌合するよう設けられている。
【００４８】
パンツ２００Ｃは、図示は省略したが、第１実施形態におけるパンツ２００Ａと同様の構成を備えた紙おむつであり、ウエスト部２１４，２１５に樹脂製磁石２１６を設ける代わりにウエスト部２１４，２１５の内面側に面ファスナー（係着受け手段）２１６Ｃを設けたもので、面ファスナー２１６Ｃを、副帯４Ａの面ファスナー６ａ，６ａに係着することで、ウエスト部２１４，２１５を、副帯４Ａの外面に貼着するよう構成されている。
【００４９】
ズボン４００は、図９に示すように、前身頃４１０と、後身頃４２０とを備えている。前身頃４１０は、着用者の腹部を覆う胴部前身頃４１１、及び胴部前身頃４１１の下端に連続する左右一対の脚前身頃４１２，４１２を有している。後身頃４２０は、着用者の腰部を覆う胴部後身頃４２１と、胴部後身頃４２１の下端に連続する左右一対の脚後身頃４２２，４２２とを有している。胴部前身頃４１１と、胴部後身頃４２１は、股間部４３０で繋がっている。
【００５０】
前身頃４１０は、上端縁に沿って帯状に延びるウエスト部４１３と、左右の側端縁（そくたんえん）に沿って上下方向に延びるよう設けられる帯状の面ファスナー（側部係着手段）４１５，４１５とを有し、左右一対の脚前身頃４１２，４１２の内股側の端縁に沿って延びる左右一対の帯状の面ファスナー（内股側系着手段）４１６，４１６とを有している。ウエスト部４１３は、長手方向に伸縮するよう設けられ、表地と裏地の間に、長手方向に沿って矩形の樹脂製磁石（磁着手段）４１４が複数間欠的に設けられるとともに、両端外面に面ファスナー４１７が縫着されている。
【００５１】
また、後身頃４２０は、上端縁に沿って帯状に延びるウエスト部４２３と、左右の側端縁に沿って延びる帯状の面ファスナー（側部係着手段）４２５，４２５と、脚後身頃４２２，４２２の内股側の端縁に沿って上下方向に延びる帯状の面ファスナー４２６，４２６（内股側係着手段）とを有している。ウエスト部４１３，４２３は、長手方向に伸縮するよう設けられ表地と裏地の間に、長手方向に沿って矩形の樹脂製磁石（磁着手段）４１４が複数間欠的に設けられている。前側のウエスト部４１３と、後側のウエスト部４２３は、ウエスト部４１３の両端部に縫着された面ファスナー（側部係着手段）４１７，４１７と、後側のウエスト部４２３の両端から側方へ延出する一対の面ファスナー（側部係着手段）４２７，４２７とにより輪状に連結される。そして、脚前身頃４１２と脚後身頃４２２は、面ファスナー４１５，４１６により筒状に連結される。
ここで、内股側係着手段は、側部係着手段と同様、面ファスナーに限らず、磁石や、粘着剤、その他フックやボタン等、公知の係着手段を適宜に用いることができる。
尚、脚前身頃４１２と脚後身頃４２２は、内股側を分離せずに一体に設けることもできる。
【００５２】
自立支援用衣服３０００を、着用する場合は、図１２（ａ）に示すように、係着ベルト１０に副帯４Ａを係着した副帯付係着帯１００Ａを腰に締め、バックル２を着用者Ｍの背中側に回しておく。
【００５３】
そして、パンツ２００Ｃの後身頃２１２のウエスト部２１５を、第２実施形態のパンツ２００Ｂと同様に、副帯付係着帯１００Ａに係着する。この際、パンツ２００Ｃの面ファスナー（係着受け手段）２１６Ｃと副帯４Ａの面ファスナー６ａが係着する。続けて、図１２（ｂ）に示すように、そのままの状態で、パンツ２００Ｃの上からズボン４００を係着させる。つまり、ズボン４００の後側のウエスト部４２３を、パンツ２００Ｃのウエスト部２１５の上から、副帯付係着帯１００Ａに係着させる。ズボン４００のウエスト部４２３は、内蔵する樹脂製磁石４１４の磁力により、パンツ２００Ｃを間に挟んだ状態で、副帯付係着帯１００Ａに係着する。
【００５４】
この状態で、図１２（ｃ）に示すように、副帯付係着帯１００Ａを周方向に半周させて、パンツ２００Ｃ、及びズボン４００を着用者Ｍの背中側へと移動させる。このとき、バックル２は、着用者Ｍの腹の側に移動する。そして、図１２（ｄ）に示すように、パンツ２００Ｃの前身頃２１１を、股の間から前に引っ張り出し、そのウエスト部２１４を副帯４Ａに係着し、左右の側部２０２の面ファスナー２２２，２２２を前身頃２１１の面ファスナー２１７，２１８に係着させて、前身頃２１１と後身頃２１２とを左右の側部２０２，２０２を介して連結する。
【００５５】
こうして、パンツ２００Ｃの着用が完了したら、ズボン４００のウエスト部４１３を股の間から前に引っ張り出し、樹脂製磁石４１４の磁力によりパンツ２００Ｃを間に挟んだ状態で、副帯付係着帯１００Ａに係着し、後側のウエスト部４２３の面ファスナー４２７，４２７を前側のウエスト部４１３の面ファスナー４１７，４１７に係着し、前身頃４１０の左右の面ファスナー４１５，４１５を後身頃４２０の面ファスナー４２５，４２５に係着し、内股側の面ファスナー４１６，４１６を面ファスナー４２６，４２６に連結する。
【００５６】
このように、副帯付係着帯１００Ａとズボン４００は磁力により係着するので、間にパンツ２００Ｃを挟んだ状態でズボン４００を副帯付係着帯１００Ａに係着でき、これにより、パンツ２００Ｃとズボン４００の両方を腹側で副帯付係着帯１００Ａに係着して、副帯付係着帯１００Ａを半周回転させることで、手を背後に回すことなく、パンツ２００Ｃ、及びズボン４００を背中に回すことができる。
【００５７】
（第４実施形態）
図１３は、本発明の第４実施形態に係る自立支援用衣服４０００を示している。自立支援用衣服４０００は、副帯付係着帯１００Ｂと、パンツ２００Ｂ（下半身用衣服）と、スカート（下半身用衣服、係着対象物）３００Ｂとを備えている。副帯付係着帯１００Ｂは、係着ベルト１０と、副帯４Ｂとを有している。
【００５８】
副帯４Ｂは、副帯４Ａの変形例であり、図４に示すように、副帯本体５Ｂの幅を第３実施形態にかかる副帯本体５Ａよりも上側へと広げて、面ファスナー６ａの上側で、副帯本体５Ｂの上縁に沿って嵌合突起７，７，…を設けている。
また、スカート３００Ｂは、第２実施形態におけるスカート３００Ａのウエスト部３１２，３２２内面に面ファスナー３１６ａ，３１６ａを加えたものである。
【００５９】
自立支援用衣服４０００を着用する際には、図１３に示すように、パンツ２００Ｂを、係着ベルト１０と、副帯４Ｂの間に挟み込む。この際パンツ２００Ｂを、粘着層２１６Ｂにより、係着ベルト１０の外面に直接貼着する。スカート３００Ｂは、副帯４Ｂの面ファスナー６ａ，６ａに、面ファスナー３１６ａを係着させることにより着用する。この際、パンツ２００Ｂは、係着帯１の磁石３と副帯４Ｂの樹脂製磁石６ｂ，６ｂの磁力によって挟持される。また、スカート３００Ｂと、副帯４Ｂは、スカート３００Ｂの樹脂製磁石３１４と副帯４Ｂの樹脂製磁石６ｂ，６ｂによって、互いの係着が補強されている。
【００６０】
（その他の実施形態）
係着帯１は、上述したような自立支援用衣服に限らず、他の身の回り品にも用いることができ、例えば、図１４に示すように、係着帯１を、嵌合受孔１ｂを介してカーテンレールのフックＦに吊り下げ、カーテン（係着対象物）５００の上端縁に沿って、帯状に、あるいは複数の磁石５０１を間欠的に設けることで、カーテン５００が容易に着脱できるようになる。尚、図１４に１点鎖線で示した様に、下側の嵌合受孔１ｂには、Ｓカンや、フックを介して、さらに別の係着帯１を吊るすことができる。
【００６１】
また、図１５は、係着帯１を２本用いて、カーテン（係着対象物）６００を吊るす様子を示したものである。２本の係着帯１，１を重ねた状態で、両方の係着帯１，１の嵌合受孔１ｂ，１ｂにＳカンを通してワイヤに吊り下げ、２本の係着帯１，１の間に、カーテンを挟み込んで２本の係着帯１の磁力によりカーテン６００を挟持する。こうすることで、例えば、災害時の避難所に、簡易にカーテン６００を設けることができる。尚、カーテンの落下防止を目的として、図１５に示したように、嵌合受孔１ａの位置で、カーテンを貫通するように、ピン６０１を刺し込むようにしてもよい。
【００６２】
図１６は、別の係着帯９の長手方向に垂直な断面を示している。係着帯９は、長手方向に伸縮性を有する表地９１１、及び裏地９１２と、これらの間に、その長手方向に間欠的に設けられる複数の磁石９０３とを備え、表地９１１の外縁には、再剥離可能な粘着層９０２が設けられている。
係着帯９によれば、例えばパンツ２００Ａと同形状で、係着受け手段を有さない紙おむつのウエスト部を粘着層９０２に貼着するようにして着用した上から、スカート３００Ａやズボン４００を着用することができる。
【００６３】
本発明の係着帯は、上述した実施形態に限定されるものではなく、例えば、係着帯において、縁部は無くてもよいし、１つだけ設けるようにしてもよい。嵌合孔や副帯も設けなくともよい。
【符号の説明】
【００６４】
１０００，２０００，３０００，４０００  自立支援用衣服
１，９  係着帯
１１，９１１  表地
１２，９１２  裏地
）１ａ，１ｂ，３ａ  嵌合孔（嵌合受手段
２００Ａ，３００Ａ，３００Ｂ，４００  下半身用衣服（係着対象物）
２００Ｂ，２００Ｃ  下半身用衣服
２１１，３１０，４１０  前身頃
２１２，３２０，４２０  後身頃
２１４，２１５，３１２，３２２，４１３，４２３  ウエスト部
２１６，３１４，４１４  磁石（磁着手段）
２１６Ｃ  面ファスナー（係着受け手段）
２０２，２１７，３１３，３１５，３２３，３２５，４１５，４１７，４２５，４２７  面ファスナー（側部係着手段）
３，９０３  磁石
４Ａ，４Ｂ  副帯
５Ａ，５Ｂ  副帯本体
５００，６００  係着対象物
６ａ  面ファスナー（係着手段）
７  嵌合突起（嵌合手段）
【図１】
2019183339.tif 000003
【図２】
2019183339.tif 000004
【図３】
2019183339.tif 000005
【図４】
2019183339.tif 000006
【図５】
2019183339.tif 000007
【図６】
2019183339.tif 000008
【図７】
2019183339.tif 000009
【図８】
2019183339.tif 000010
【図９】
2019183339.tif 000011
【図１０】
2019183339.tif 000012
【図１１】
2019183339.tif 000013
【図１２】
2019183339.tif 000014
【図１３】
2019183339.tif 000015
【図１４】
2019183339.tif 000016
【図１５】
2019183339.tif 000017
【図１６】
2019183339.tif 000018
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
帯状をなす表地、及び裏地と、
前記表地と前記裏地の間に、前記表地の長手方向に間欠的に設けられる複数の磁石とを備え、
前記磁石の磁力により係着対象物を係着するよう構成され、
前記表地、前記磁石、及び前記裏地を貫通する嵌合受孔を備える係着帯。
【請求項２】
帯状をなす表地、及び裏地と、前記表地と前記裏地の間に、前記表地の長手方向に間欠的に設けられる複数の磁石とを有し、前記磁石の磁力により係着対象物を係着する係着帯と、
前記係着帯に係着される副帯と
を備え、
前記副帯は、帯状の副帯本体と、前記副帯本体の裏面の長手方向に並ぶよう配設される嵌合突起からなる複数の嵌合手段と、前記副帯本体の表面に設けられる面ファスナー、又は粘着層からなる係着手段とを有し、
前記係着帯は、その長手方向に並ぶとともに前記嵌合突起に嵌合する嵌合受孔からなる複数の嵌合受手段を有し、
前記副帯が前記係着帯に着脱自在に構成されている副帯付係着帯。
【請求項３】
前記係着帯は、両端を着脱自在に連結するバックルを有し、
前記バックルは、雄バックルと雌バックルからなるとともに、表面側に、前記嵌合突起に嵌合する嵌合受孔からなる嵌合受手段を有し、
前記副帯が前記バックルに着脱自在に構成されている請求項２に記載の副帯付係着帯。
【請求項４】
前記係着手段が粘着層であり、前記粘着層が再剥離性を有する請求項２に記載の副帯付係着帯。
【請求項５】
帯状をなす表地、及び裏地と、前記表地と前記裏地の間に、前記表地の長手方向に間欠的に設けられる複数の磁石とを有し、前記磁石の磁力により係着対象物を係着する係着帯と、着用者の少なくとも胴体下部を覆う下半身用衣服とを備えた自立支援用衣服であって、
前記下半身用衣服は、両側縁に沿って設けられる側部係着手段により少なくとも両側方で分離可能に構成される前身頃、及び後身頃を備え、
前記前身頃は、上端縁に沿って設けられる前側ウエスト部を有し、
前記後身頃は、上端縁に沿って設けられる後側ウエスト部を有し、
前記前側ウエスト部と前記後側ウエスト部は、それぞれ磁石、又は磁性金属からなる磁着手段が設けられて前記係着帯に係着可能に構成されるとともに、前記前身頃、及び前記後身頃の両側方とともに互いに分離可能に構成されていることを特徴とする自立支援用衣服。
【請求項６】
請求項２から請求項４のいずれか１項に記載の副帯付係着帯と、
着用者の少なくとも胴体下部を覆う下半身用衣服と
を備え、
前記下半身用衣服が、両側縁に沿って設けられる側部係着手段により少なくとも両側方で互いに分離可能に構成される前身頃、及び後身頃を備え、
前記前身頃は、上端縁に沿って設けられる前側ウエスト部を有し、
前記後身頃は、上端縁に沿って設けられる後側ウエスト部を有し、
前記前側ウエスト部と前記後側ウエスト部は、前記磁石に磁着する磁着手段、又は前記係着手段に係着する係着受け手段がそれぞれ設けられて前記副帯付係着帯に係着可能に構成されるとともに、前記前身頃、及び前記後身頃の両側方とともに互いに分離可能に構成されていることを特徴とする自立支援用衣服。
【請求項７】
前記下半身用衣服が、筒状をなすスカートであり、前記前側ウエスト部と前記後側ウエスト部を前記前身頃、及び前記後身頃の両側方とともに分離すると、前記前身頃と前記後身頃が別体に分離される請求項５、又は請求項６に記載の自立支援用衣服。
【請求項８】
前記下半身用衣服が、着用者の胴体下部を覆うパンツであり、前記前側ウエスト部と前記後側ウエスト部を前記前身頃、及び前記後身頃の両側方とともに分離すると、前記前身頃と前記後身頃が股間部でのみつながった状態に展開される請求項５、又は請求項６に記載の自立支援用衣服。
【請求項９】
前記下半身用衣服が、着用者の胴体下部と両脚を覆うズボンであり、前記前身頃は、着用者の腹部を覆う胴部前身頃、及び胴部前身頃の下端に連続する左右一対の脚前身頃を有し、前記後身頃は、着用者の腰部を覆う胴部後身頃と、前記胴部後身頃の下端に連続する左右一対の脚後身頃とを有し、前記前側ウエスト部と前記後側ウエスト部を前記前身頃、及び前記後身頃の両側方とともに分離すると、前記前身頃と前記後身頃が少なくとも股間部でつながった状態に展開される請求項５、又は請求項６に記載の自立支援用衣服。
【手続補正２】
【補正対象書類名】明細書
【補正対象項目名】０００８
【補正方法】変更
【補正の内容】
【０００８】
上記課題を解決するためになされた発明は、帯状をなす表地、及び裏地と、前記表地と前記裏地の間に、前記表地の長手方向に間欠的に設けられる複数の磁石とを備え、前記磁石の磁力により係着対象物を係着するよう構成され、前記表地、前記磁石、及び前記裏地を貫通する嵌合受孔を備える係着帯である。
【手続補正３】
【補正対象書類名】明細書
【補正対象項目名】００１０
【補正方法】変更
【補正の内容】
【００１０】
本発明は、帯状をなす表地、及び裏地と、前記表地と前記裏地の間に、前記表地の長手方向に間欠的に設けられる複数の磁石とを有し、前記磁石の磁力により係着対象物を係着する係着帯と、前記係着帯に係着される副帯とを備え、前記副帯は、帯状の副帯本体と、前記副帯本体の裏面の長手方向に並ぶよう配設される嵌合突起からなる複数の嵌合手段と、前記副帯本体の表面に設けられる面ファスナー、又は粘着層からなる係着手段とを有し、前記係着帯は、その長手方向に並ぶとともに前記嵌合突起に嵌合する嵌合受孔からなる複数の嵌合受手段を有し、前記副帯が前記係着帯に着脱自在に構成されている副帯付係着帯を含む。
本発明の副帯付係着帯は、面ファスナー、又は粘着層からなる係着手段を備えた副帯を備えるので、係着帯に対し磁性により係着できない物であっても、副帯を介して、係着帯に係着することができ、さらに、副帯の係着手段により係着したものの上から、磁石や金属等を備えるものを係着することができる。
【手続補正４】
【補正対象書類名】明細書
【補正対象項目名】００１１
【補正方法】変更
【補正の内容】
【００１１】
本発明に係る副帯付係着帯は、前記係着帯は、両端を着脱自在に連結するバックルを有し、前記バックルは、雄バックルと雌バックルからなるとともに、表面側に、前記嵌合突起に嵌合する嵌合受孔からなる嵌合受手段を有し、前記副帯が前記バックルに着脱自在に構成されている請求項２に記載の副帯付係着帯を含む。
このように、雄バックルと雌バックルの表面側に嵌合受手段を設けることで、バックルの部分にも、副帯を係着できる。
【手続補正５】
【補正対象書類名】明細書
【補正対象項目名】００１３
【補正方法】変更
【補正の内容】
【００１３】
本発明は、帯状をなす表地、及び裏地と、前記表地と前記裏地の間に、前記表地の長手方向に間欠的に設けられる複数の磁石とを有し、前記磁石の磁力により係着対象物を係着する係着帯と、着用者の少なくとも胴体下部を覆う下半身用衣服とを備えた自立支援用衣服であって、前記下半身用衣服は、両側縁に沿って設けられる側部係着手段により少なくとも両側方で分離可能に構成される前身頃、及び後身頃を備え、前記前身頃は、上端縁に沿って設けられる前側ウエスト部を有し、前記後身頃は、上端縁に沿って設けられる後側ウエスト部を有し、前記前側ウエスト部と前記後側ウエスト部は、それぞれ磁石、又は磁性金属からなる磁着手段が設けられて前記係着帯に係着可能に構成されるとともに、前記前身頃、及び前記後身頃の両側方とともに互いに分離可能に構成されていることを特徴とする自立支援用衣服を含む。
このように、本発明の自立支援用衣服は、下半身用衣服が、前身頃と後身頃とを、前側ウエスト部、後側ウエスト部とともに、その両側縁に沿って分離できるので、後側ウエスト部を、腰に着用した係着帯に着用者の腹側で係着して、係着帯を腰回りに半回転させることで後身頃を背中側に回すことができ、このあと着用者の腹側で前身頃の前側ウエスト部を係着帯に係着することで、背後に手を回すことなく着用することができる。